(57)【要約】【課題】  本発明は、人以外の特定の動物を誘引又は忌避することができる蓄光体を提供することを目的とする。【解決手段】  本発明の蓄光体は、人以外の特定の動物を誘引又は忌避する特定の波長光を発光する蓄光剤を、少なくとも一部分に含む。【選択図】  なし【特許請求の範囲】
【請求項１】
人以外の特定の動物を誘引又は忌避する特定の波長光を発光する蓄光剤を、少なくとも一部分に含む蓄光体。
【請求項２】
前記動物が水生動物である請求項１記載の蓄光体。
【請求項３】
前記蓄光体は、糸、ロープ、網、かご、壺、又はシートである請求項１又は２記載の蓄光体。
【発明の詳細な説明】
【技術分野】
【０００１】
本発明は、人以外の特定の動物を誘引又は忌避する特定の波長光を発光する蓄光剤を含む蓄光体に関する。本発明の蓄光体は、例えば、特定の魚を誘引する漁具、特定の動物を忌避する獣害防止用具などに好適に用いることができる。
【背景技術】
【０００２】
従来、暗所において人に物体の存在を視認させるために、物体に発光性を付与する技術が提案されている。
【０００３】
例えば、特許文献１では、ロープ本体の少なくとも外周面に、蓄光顔料の発光部と再帰反射性構造体の発光部とを適当に区分けして形成した発光ロープが提案されている。
【０００４】
また、特許文献２では、波長３５０ｎｍ〜８００ｎｍの光線を選択反射してなる第１光輝性フィルムの表面に、接着性を備えた接着層を積層してなる第１積層体における前記接着層の表面に、別途用意した、離型基材フィルムの表面に蓄光性を備えた蓄光性顔料を含む樹脂を蓄光層として積層した蓄光層転写材から前記蓄光層のみを転写して得られる蓄光性積層体、及び当該蓄光性積層体をマイクロスリットして得られる蓄光糸が提案されている。
【０００５】
また、特許文献３では、１本又は数本の蓄光糸を撚り合せて蓄光糸撚糸を作成し、１本又は数本の原糸を撚り合せて撚糸を作成し、この蓄光糸撚糸と撚糸を数本撚り合せて所定寸法及び強度のロープとした蓄光糸入り発光ロープが提案されている。
【０００６】
また、特許文献４では、擬似モノフィラメントからなる芯成分の表面に、蓄光性蛍光体を含有するコーティング材からなるコーティング成分を被覆した蓄光釣り糸が提案されている。
【０００７】
しかし、これら技術はいずれも暗所において人に物体の存在を視認させることを目的としており、人以外の動物を対象としているわけではない。
【０００８】
一方、魚群に引き網の存在を視認させ、引き網に接近しないようにするために、合成樹脂に蓄光蛍光物質を混合し紡糸した合成繊維を用いてなるロープ、または成形ロープにて構成した引き網用引き網が提案されている（特許文献５）。
【先行技術文献】
【特許文献】
【０００９】
【特許文献１】特開平１−２００３８８号公報
【特許文献２】特開２００８−１５５５９２号公報
【特許文献３】特開平１０−１６８７７３号公報
【特許文献４】特開２００７−２８２５８０号公報
【特許文献５】実公平２−２１９０９号公報
【発明の概要】
【発明が解決しようとする課題】
【００１０】
本発明は、人以外の特定の動物を誘引又は忌避することができる蓄光体を提供することを目的とする。
【課題を解決するための手段】
【００１１】
本発明者らは、前記課題を解決すべく鋭意検討したところ、以下に示す蓄光体により上記目的を達成できることを見出し、本発明を完成するに至った。
【００１２】
即ち本発明は、特定の動物を誘引又は忌避する特定の波長光を発光する蓄光剤を、少なくとも一部分に含む蓄光体、に関する。
【００１３】
前記動物が水生動物であることが好ましい。
【００１４】
前記蓄光体は、例えば、糸、ロープ、網、かご、壺、又はシートである。
【発明の効果】
【００１５】
魚は、その種類によって感応する波長光が異なるという性質がある。例えば、スルメイカは４８５ｎｍ程度の波長光に感応し、マイワシ及びカタクチイワシは５００ｎｍ程度の波長光に感応し、マアジ及びサンマは５１０ｎｍ程度の波長光に感応する。当該性質を利用し、発光ピーク波長が４８５ｎｍの光を発光する蓄光剤を含む蓄光網を用いれば、主にスルメイカを誘引して集めることができる。同様に、発光ピーク波長が５００ｎｍの光を発光する蓄光剤を含む蓄光網を用いれば、主にマイワシ及びカタクチイワシを誘引して集めることができ、発光ピーク波長が５１０ｎｍの光を発光する蓄光剤を含む蓄光網を用いれば、主にマアジ及びサンマを誘引して集めることができる。このように、本発明の蓄光網を用いれば、特定の種類の魚のみを容易に漁獲することができる。また、本発明の蓄光網を用いれば、近年大きな問題となっている外来魚のみを容易に捕獲し、駆除することができる。さらに、本発明の蓄光体を水族館又は観賞用の水槽の特定位置に設けておけば、蓄光体に魚が集まってくるためアイキャッチ効果が得られる。
【００１６】
一方、ある種の動物は、特定の波長光を嫌って避ける性質がある。当該性質を利用し、特定の発光ピーク波長の光を発光する蓄光剤を含む蓄光網又は蓄光ロープを田畑等に設けておけば、夜間特定の動物を忌避することができる。つまり、当該蓄光網等を獣害防止用具として用いることができる。
【図面の簡単な説明】
【００１７】
【図１ａ】図１ａはスルメイカの蓄光糸への誘引性を評価するための水槽の上面図である。
【図１ｂ】図１ｂはスルメイカの蓄光糸への誘引性を評価するための水槽の側面図である。
【発明を実施するための形態】
【００１８】
本発明の蓄光体は、特定の動物を誘引又は忌避する特定の波長光を発光する蓄光剤を、少なくとも一部分に含んでいる。
【００１９】
蓄光体の形態は、用途に応じて適宜選択することができ、例えば、糸、ロープ、網、かご、壺、及びシートなどが挙げられるが、これらに限定されない。
【００２０】
蓄光体の主原料は、用途に応じて適宜選択することができ、例えば、樹脂、ゴム、紙、天然繊維、金属、及びセラミックスなどが挙げられるが、これらに限定されない。
【００２１】
蓄光剤は、特定の動物を誘引又は忌避する特定の波長光を発光するものを適宜選択して使用する。このような蓄光剤としては公知のものを特に制限なく使用でき、例えば、アルカリ土類金属酸化物に賦活剤として希土類をドープさせたものが挙げられ、具体的には、ＣａＡｌ２Ｏ４：Ｅｕ，Ｎｄ（紫色発光、発光ピーク波長４４０ｎｍ）、Ｓｒ４Ａｌ１４Ｏ２５：Ｅｕ，Ｄｙ（青緑色発光、発光ピーク波長４９５ｎｍ）、ＳｒＡｌ２Ｏ４：Ｅｕ，Ｄｙ（緑色発光、発光ピーク波長５４０ｎｍ）などが挙げられる。
【００２２】
スルメイカを誘引する蓄光剤は、発光ピーク波長が４８５±１０ｎｍ（好ましくは±９ｎｍ）の光を発光するものであり、例えばＳｒ４Ａｌ１４Ｏ２５：Ｅｕ，Ｄｙ（青緑色発光、発光ピーク波長４９５ｎｍ）が挙げられる。マイワシ及びカタクチイワシを誘引する蓄光剤は、発光ピーク波長が５００±５ｎｍ（好ましくは±４ｎｍ）の光を発光するものであり、例えばＳｒ４Ａｌ１４Ｏ２５：Ｅｕ，Ｄｙ（青緑色発光、発光ピーク波長４９５ｎｍ）とＳｒＡｌ２Ｏ４：Ｅｕ，Ｄｙ（緑色発光、発光ピーク波長５４０ｎｍ）との混合物が挙げられる。マアジ及びサンマを誘引する蓄光剤は、発光ピーク波長が５１０±５ｎｍ（好ましくは±４ｎｍ）の光を発光するものであり、例えばＳｒ４Ａｌ１４Ｏ２５：Ｅｕ，Ｄｙ（青緑色発光、発光ピーク波長４９５ｎｍ）とＳｒＡｌ２Ｏ４：Ｅｕ，Ｄｙ（緑色発光、発光ピーク波長５４０ｎｍ）との混合物が挙げられる。また、２種以上の蓄光剤を混合して発光ピーク波長を調整してもよい。また、発光ピーク波長が異なる蓄光体を２種以上組み合わせて発光ピーク波長を調整してもよい。例えば、発光ピーク波長が異なる複数の蓄光糸を撚り合わせることにより発光ピーク波長を調整することができる。
【００２３】
蓄光剤は、蓄光体の主原料に添加してもよく、蓄光体の表面に塗布等により設けてもよい。
【００２４】
蓄光剤は、蓄光体の少なくとも一部分に含有させることが必要であり、どの部分に含有させるかは蓄光体の用途を考慮して適宜調整する。例えば、本発明の蓄光体を底曳網及び駆け廻し網などの漁網として用いる場合、魚を誘引して入網へと向かわせる袖網又は寄せ網に蓄光剤を含有させることが好ましい。
【００２５】
蓄光体を夜間使用する場合には、予め蓄光剤を含有する部分に光を照射して蓄光剤を励起させておいてもよく、使用時に所定間隔で蓄光剤を含有する部分に光を照射して蓄光剤を励起させてもよい。光源は特に制限されず、例えば、太陽光、ＬＥＤ、メタルハライドランプ、蛍光灯などが挙げられる。
【実施例】
【００２６】
以下に実施例および比較例を用いて本発明をさらに具体的に説明するが、本発明はこれら実施例および比較例によって限定されるものではない。
【００２７】
実施例１
（蓄光糸の作製）
ポリエチレン（比重１．２１）９０重量部、耐候剤１重量部、及び蓄光剤Ａ（Ｓｒ４Ａｌ１４Ｏ２５：Ｅｕ，Ｄｙ（青緑色発光、発光ピーク波長４９５ｎｍ））１０重量部を混合し、溶融紡出して蓄光糸を作製した。当該蓄光糸の発光波長を分光放射計（トプコン社製、ＳＲ−ＵＬ２）を用いて測定したところ、発光ピーク波長は４９３ｎｍであった。
【００２８】
（蓄光糸の評価）
図１ａは、スルメイカの蓄光糸への誘引性を評価するための水槽の上面図である。図１ｂは、当該水槽の側面図である。図１ａ及び図１ｂに示すように、アクリル板２を用いて水槽１内を３つの区画に仕切った。アクリル板２にはゲート（開口部）が設けられており、ゲートは遠隔操作により開閉可能である。区画３は透明アクリル板でさらに３つの区画に分けられており、そこにスルメイカ３を１尾ずつ入れた。区画１には、作製した蓄光糸４（サンプル１）を設置し、光源５（Ｄ６５）を用いてガラス越しに１０００Ｌｘの光を１０分間蓄光糸４に照射して蓄光剤を励起させた。そして、水槽１の内部に外部から光が入らないようにした。  
その後、遠隔操作によりアクリル板２に設けたゲートを開け、蓄光糸４が放つ光にスルメイカ３が誘引され、スルメイカ３が蓄光糸４に近づいていくかどうか繰り返し実験した。作製した蓄光糸に誘引性があるかどうか以下の基準で評価した。評価結果を表１に示す。
○：誘引性あり
×：誘引性なし
【００２９】
実施例２〜４、比較例１〜１１
表１に記載のように、対象魚及び蓄光糸を変更した以外は実施例１と同様の方法で実験を行った。評価結果を表１に示す。蓄光糸のサンプル２〜４は以下の方法で作製した。なお、実施例４、比較例７及び８においては、光源（Ｄ６５）を用いてガラス越しに１００００Ｌｘの光を５分間蓄光糸に照射して蓄光剤を励起させた。
【００３０】
（サンプル２の作製）
ポリエチレン（比重１．４８）８０重量部、耐候剤１重量部、蓄光剤Ａ（Ｓｒ４Ａｌ１４Ｏ２５：Ｅｕ，Ｄｙ（青緑色発光、発光ピーク波長４９５ｎｍ））１０重量部、及び蓄光剤Ｂ（ＳｒＡｌ２Ｏ４：Ｅｕ，Ｄｙ（緑色発光、発光ピーク波長５４０ｎｍ））１０重量部を混合し、溶融紡出して蓄光糸を作製した。当該蓄光糸の発光波長を分光放射計（トプコン社製、ＳＲ−ＵＬ２）を用いて測定したところ、発光ピーク波長は５０２ｎｍであった。
【００３１】
（サンプル３の作製）
ポリエチレン（比重１．４８）８０重量部、耐候剤１重量部、蓄光剤Ａ（Ｓｒ４Ａｌ１４Ｏ２５：Ｅｕ，Ｄｙ（青緑色発光、発光ピーク波長４９５ｎｍ））１２重量部、及び蓄光剤Ｂ（ＳｒＡｌ２Ｏ４：Ｅｕ，Ｄｙ（緑色発光、発光ピーク波長５４０ｎｍ））８重量部を混合し、溶融紡出して蓄光糸を作製した。当該蓄光糸の発光波長を分光放射計（トプコン社製、ＳＲ−ＵＬ２）を用いて測定したところ、発光ピーク波長は５１２ｎｍであった。
【００３２】
（サンプル４の作製）
ポリエチレン（比重０．９５）１００重量部、及び耐候剤１重量部を混合し、溶融紡出して蓄光糸を作製した。
【００３３】
【表１】
2012241074.tif 000002
【産業上の利用可能性】
【００３４】
本発明の蓄光体は、例えば、特定の魚を誘引する漁具、特定の動物を忌避する獣害防止用具などに好適に用いることができる。
【符号の説明】
【００３５】
１：水槽
２：アクリル板
３：スルメイカ
４：蓄光糸
５：光源
【図１ａ】
2012241074.tif 000003
【図１ｂ】
2012241074.tif 000004
【手続補正書】
【提出日】平成24年5月29日(2012.5.29)
【手続補正１】
【補正対象書類名】特許請求の範囲
【補正対象項目名】全文
【補正方法】変更
【補正の内容】
【特許請求の範囲】
【請求項１】
人以外の特定の動物を誘引又は忌避する特定の波長光を発光する蓄光剤を、少なくとも一部分に含む蓄光体。
【請求項２】
前記動物が水生動物である請求項１記載の蓄光体。
【請求項３】
前記蓄光体は、糸、ロープ、網、かご、壺、又はシートである請求項１又は２記載の蓄光体。
【請求項４】
人以外の動物を特定する工程と、
前記特定した動物を誘因または忌避する特定の波長を発光する蓄光剤を少なくとも一部分に含む蓄光体を作製する工程と
を包含する、動物用蓄光体の作製方法。
【請求項５】
前記特定する工程において、水生動物を特定する、請求項４に記載の動物用蓄光体の作製方法。
【請求項６】
前記作製する工程において、前記蓄光体は、糸、ロープ、網、かご、壺、又はシートである、請求項４または５に記載の動物用蓄光体の作製方法。
【請求項７】
前記作製する工程は、発光ピーク波長の異なる２種類以上の蓄光体を組み合わせる工程を含む、請求項４から６のいずれかに記載の動物用蓄光体の作製方法。
【請求項８】
前記作製する工程は、発光ピーク波長の異なる複数の蓄光糸を撚り合わせる工程を含む、請求項４から７のいずれかに記載の動物用蓄光体の作製方法。